(57)【要約】      （修正有）【課題】熱中症予防に繋がる情報を表示し得る歩数計を提供する。【解決手段】歩数計は表示装置１、歩数表示部２、温熱指標表示部３、スイッチ部４、シール貼り付け部５、開閉式カバー６から成り、表示装置１には、温度センサ、湿度センサ、演算装置が内蔵され、温熱指標を表示できるように構成されている。温度と湿度の測定値から、演算装置により温熱指標を算出し、表示装置にリアルタイムで表示する。また、表示装置１または開閉式カバー６には、スピーカ、ブザー、バイブレータなどを適宜内蔵させることにより、温熱指標が危険値に達した際に、音声や振動を用いて利用者に対してアラームを発することができる。【選択図】図１
2011192247.tif 000002
【特許請求の範囲】
【請求項１】
温度センサ及び湿度センサを具備してなることを特徴とする歩数計。
【請求項２】
表示装置及び演算装置を具備し、前記温度センサ及び前記湿度センサの測定値を、前記演算装置を用いて処理して得られる温熱指標を、前記表示装置に表示する機能を具備してなることを特徴とする、請求項１に記載の歩数計。
【請求項３】
前記温熱指標は、ＷＢＧＴ（Ｗｅｔ  Ｂｕｌｂ  Ｇｌｏｂｅ  Ｔｅｍｐｅｒａｔｕｒｅ）であることを特徴とする、請求項１または請求項２に記載の歩数計。
【発明の詳細な説明】
【技術分野】
【０００１】  本発明は、歩行時の歩数を計測する歩数計に関わり、特に、主に気温が比較的敵高い時季における、歩行時の熱中症を予防するための情報を提供する機能を具備した歩数計に関わるものである。
【背景技術】
【０００２】  近年の健康志向の高まりにより、ジョッギングやウオーキングなどの、年齢などを問わずに、手軽に取り組むことが可能な運動が盛んに行なわれている。このような運動は、手軽にできる反面、環境などを考慮して、適正に行なわないと、熱中症を発症する可能性がある。熱中症は、高温多湿の環境が主な原因となって、起こる症状の総称で、熱失神、熱疲労、熱痙攣、熱射病に大別され、症状が重篤になると死亡に至る場合もある。【０００３】  ウオーキングを行なう人は、運動量の把握やモチベーションの高揚のために、歩数計を携行することが多いが、例えば特許文献１に開示されているような、対地移動距離、即ち歩数や、消費カロリーを表示する機能を具備する歩数計が市販されている。この他にも、特許文献２には、携帯電話と歩数計を一体化するとともに、運動量などに関する情報をディスプレイで可視化できる装置も開示されている。【０００４】  このようなオプションを具備したものは、前記のように運動量を把握可能であることから、ある程度熱中症の予防に有用である。しかしながら、より直接的に熱中症予防に繋がる情報を提供できるものは皆無であり、歩数計にこのような機能を付与したものがあれば、熱中症予防、ひいては使用者の健康増進に寄与するところには、極めて大きいものがあると考えられる。
【先行技術文献】
【特許文献】
【０００５】
【特許文献１】  特開２００８−２０４０８３号公報
【特許文献２】  特開２００４−１２０６８８号公報
【発明の概要】
【発明が解決しようとする課題】
【０００６】  従って、本発明の課題は、前記のような背景に鑑み、熱中症予防に繋がる情報を表示し得る歩数計を提供することにある。
【課題を解決するための手段】
【０００７】  熱中症予防を目的として、高温湿度を評価するための種々の温熱指標が提案さされているが、本発明は、歩数計に温熱指標を測定表示する機能を付与することを検討した結果なされたものである。【０００８】  即ち、本発明は、温度センサ及び湿度センサを具備してなる歩数計であり、該歩数計に、温度と湿度の測定値から温熱指標を算出する演算装置と、算出された数値及びそれに基づく情報を表示する装置を有することを特徴とする。【０００９】  また、本発明は、温熱指標として、ＷＢＧＴ（Ｗｅｔ  Ｂｕｌｂ  Ｇｌｏｂｅ  Ｔｅｍｐｅｒａｔｕｒｅ）を用いることを特徴とするが、他の温熱指標を用いることも可能である。
【発明の効果】
【００１０】  ＷＢＧＴは、１９５０年代にアメリカで提唱されたもので、乾球温度、湿球温度、黒球温度により、次式で算出され、温湿環境を的確に評価できるとされている。
（１）屋外で日射がある場合
ＷＢＧＴ＝（湿球温度）×０．７＋（黒球温度）×０．２＋（乾球温度）×０．１
（２）室内で日射のない場合
ＷＢＧＴ＝（湿球温度）×０．７＋（黒球温度）×０．３【００１１】  本発明の歩数計においては、前記のように温度センサ、湿度センサ、演算装置、表示装置を具備しているので、歩行時に使用すれば、運動量を把握できるとともに、温熱指標をリアルタイムで知ることができ、熱中症を的確に予防できる。また、歩行時には、使用者が常時表示装置を見ているわけではないので、温熱指標が一定値を超えた際に、音声でアラームを発するようにすることもできる。【００１２】  なお、歩数計には、歩数計測センサとして、振り子式センサ、加速度センサを用いたものがあるが、本発明には何れも使用できることや、使用する温度センサや湿度センサの種類が限定されないことは勿論である。
【図面の簡単な説明】
【００１３】
【図１】  本発明に係る歩数計の一例を示す斜視図
【図２】  本発明に係る歩数計にクリップを設けた例
【図３】  温度及び湿度の測定値から温熱指標を算出し表示装置に出力する手順を示したブロック図
【図４】  本発明に係る歩数計に外部のデータ処理装置を接続する場合のブロック図
【図５】  歩数計とパーソナルコンピュータとの間のデータの授受を模式的に示した図
【発明を実施するための形態】
【００１４】  次に具体的な図に基づき、本発明の実施の形態について説明する。
【００１５】  図１は、本発明に係る歩数計の一例を示す斜視図である。図１において、１は表示装置、２は歩数表示部、３は温熱指標表示部、４はスイッチ部、５はシール貼り付け部、６は開閉式カバーである。
【００１６】  表示部１には、乾球温度、湿球温度、黒球温度を測定するための温度センサ、湿度センサ、及び演算装置が内蔵され、温熱指標を表示できるように構成されている。シール貼り付け部は本発明の歩数計の必須要素ではないが、開閉式カバー６の裏側の面、つまりシール貼り付け部５に、温熱指標値と危険度の表を貼り付けておき、利用者の便宜を図ることができる。
【００１７】  また、表示部１または開閉式カバー６には、スピーカ、ブザー、バイブレータなどを適宜内蔵させることにより、温熱指標が危険値に達した際に、音声や振動を用いて利用者に対してアラームを発することができる。
【００１８】  図２は、本発明に係る歩数計にクリップを設けた例を示す図で、図２（ａ）は側面図、図２（ｂ）は背面図である。図２において、７はクリップである。このクリップ７を用いて、利用者は本発明の歩数計を、ベルトなどを介して身体の一部に装着することができる。
【００１９】  図３は、本発明に係る歩数計８ａにおいて、温度センサ９及び湿度センサ１０の測定値を演算装置１１に出力し、演算装置１１で算出した温熱指標を表示装置１２に出力する手順を示したブロック図である。本発明の歩数計においては、このようなフローでデータの処理及び表示を行なう。
【００２０】  図４は、本発明に係る歩数計８ｂに、例えばパーソナルコンピュータのような、外部のデータ処理装置を接続する場合のブロック図である。ここでは、データを蓄積するためのメモリ１３と、外部のデータ処理装置とのインターフェイスを形成するための通信回路１４が付加されている。また、図５は本発明に係る歩数計１５とパーソナルコンピュータ１６との間のデータの授受を模式的に示した図である。
【００２１】  以上に説明したように、本発明によれば、運動を行なう際に、環境の状況を反映した熱中症予防に関する情報を、リアルタイムで提供できる歩数計の提供が可能となり、無理な運動による障害を未然に防止できる。なお、本発明は、前記実施の形態に限定されるものではなく、本発明の分野における通常の知識を有する者であれば想到し得る、各種変形、修正を含む要旨を逸脱しない範囲の設計変更があっても、本発明に含まれることは勿論である。
【符号の説明】
【００２２】１，１２          表示装置
２                歩数表示部
３                温熱指標表示部
４                スイッチ部
５                シール貼り付け部
６                開閉式カバー
７                クリップ
９                温度センサ
１０              湿度センサ
８ａ，８ｂ，１５  歩数計
１１              演算装置
１３              メモリ
１４              通信回路
１６              パーソナルコンピュータ
【図１】
2011192247.tif 000003
【図２】
2011192247.tif 000004
【図３】
2011192247.tif 000005
【図４】
2011192247.tif 000006
【図５】
2011192247.tif 000007